(57)【要約】      （修正有）【課題】通常は室内や車内等でクッション又は座布団等として身近で用いられ、震災発生等においては、状況や目的に応じて簡便な防災用具として使用可能な、各種機能を有する多用途クッションを提供する。【解決手段】難燃加工及び／又は撥水加工された炎遮蔽性生地を素材とし、少なくとも成人のほぼ全身を被包可能な形状と大きさとしたシート体Ｓであり、シート体Ｓの一側Ｓａに止着、解放自在の止着具ＳＦを備え、該止着具ＳＦの内側に前記シート体Ｓを順次折り込み、該止着具ＳＦを介して止着している。【選択図】図２
0003190311.tif 000002
【実用新案登録請求の範囲】
【請求項１】
難燃加工及び／又は撥水加工された炎遮蔽性生地（Ｆ）を素材とし、少なくとも成人のほぼ全身を被包可能な形状と大きさとしたシート体（Ｓ）であり、該シート体（Ｓ）の一側（Ｓａ）に止着、解放自在の止着具（ＳＦ）を備え、前記止着具（ＳＦ）の内側（ＳＦａ）に前記シート体（Ｓ）を順次折り込み、前記止着具（ＳＦ）を介して止着したことを特徴とする、多用途クッション（Ｃ）。
【請求項２】
前記炎遮蔽性生地（Ｆ）がポリエステル、ウール、アクリル又はアラミド繊維であり、該生地（Ｆ）の表裏面（Ｆａ、Ｆｂ）には消臭剤、抗菌剤又は／及び芳香剤が付与されていることを特徴とする、請求項１に記載の多用途クッション（Ｃ）。
【請求項３】
前記止着具（ＳＦ）は、スライドファスナー、面状ファスナー、ホック又はボタンであることを特徴とする、請求項１に記載の多用途クッション（Ｃ）。
【請求項４】
前記シート体（Ｓ）の内側（Ｓａ）の一部に貴重品収納用のポケット（Ｐ）を１〜複数形成していることを特徴とする、請求項１に記載の多用途クッション（Ｃ）。
【請求項５】
前記ポケット（Ｐ）には手動空気弁（ＡＰｂ）によって膨張・収縮可能なエアーピロー（ＡＰ）が収納されていることを特徴とする、請求項４に記載の多用途クッション（Ｃ）。
【考案の詳細な説明】
【技術分野】
【０００１】  本考案は、多用途クッションに係り、より詳しくは、通常はクッション又は座布団等として用いられ、震災発生等においては、状況や目的に応じて防災用具として使用可能な、各種機能を有する多用途クッションに関する。
【背景技術】
【０００２】  我が国は、地震国である。１９９５年１月の阪神淡路大震災、２０１１年３月の東日本大震災が、未曽有の被害をもたらしたことは記憶に新しい。日本のどこかでは、ほぼ毎日のように大なり小なりの地震が発生している。また近時における国の有識者会議の発表によれば、今後約３０年の間にかなりの確率（ある説によれば８７％）で南海トラフ又は相模トラフ等を中心とする大規模な地震の発生が予測されている。【０００３】  自治体、企業、学校、老人ホーム等はもちろん、各家庭においても、いざというときのための防災用具の備蓄が必須であることが指摘され、そのために、各種の防災用具が開発、提案されている。例えば、特許文献１（第１頁、図１参照）や特許文献２（第１頁、図１参照）のように、常時は椅子に装着する座布団やクッションとして使用され、非常時には防災頭巾として使用できる座布団兼用の防災頭巾である。前記特許文献１や特許文献２等の防災頭巾は、震災発生時における頭部への落下物と火の粉を防ぐことができるが、体全体の防炎具とはならない。【０００４】  また特許文献３（第１頁、図１参照）、特許文献４（第１頁、図１参照）のような「防災毛布」、「難燃毛布」等々が開示されている。前記特許文献３や特許文献４等の防災毛布、難燃毛布等は、震災等の備蓄としては問題点がある。すなわち、膨大な数量の毛布の保管と収納には大スペースの倉庫や収納庫等が必要となり、各自治体、各企業、学校等にはそのスペース確保が大きな問題点となっている。
【先行技術文献】
【特許文献】
【０００５】
【特許文献１】特開２００９−２８５４４０号公報
【特許文献２】実用新案登録第３１８０９９６号公報
【特許文献３】実用新案登録第３１８３４５６号公報
【特許文献４】実用新案登録第３１７８５５７号公報
【考案の概要】
【考案が解決しようとする課題】
【０００６】  また、従来のクッション又は座布団は、袋体に設けた開口部からその内部に羽毛、綿又は発泡スチロール等の緩衝材を封入後、開口部を縫着し、周縁部にレース等を取り付けて製作されているので製作工数も多いという欠点がある。
そこで本願考案者は、上記従来の防災用具やクッション、座布団が有する不具合や問題点を解消するために鋭意検討し、防災はもちろん、各種の機能を有する多用途クッションを創案した。本考案における、
（１）第１の課題は、通常は室内や車内等でクッション又は座布団等として身近で用いられ、震災発生等においては、状況や目的に応じて簡便な防災用具として使用可能な、各種機能を有する多用途クッションを提供することである。
（２）第２の課題は、震災等に備えて常に倉庫、収納庫等に多量に保管、収納できる軽量かつコンパクトな多用途クッションを提供することである。
（３）第３の課題は、拡開や折り込み等の操作性が好適な多用途クッションを提供することである。
（４）第４の課題は、保温性、柔軟性等を備え老若男女を問わず簡便に使用可能な多用途クッションを提供することである。
（５）第５の課題は、緊急時における、身元確認、連絡先等がすぐに判明できる多用途クッションを提供することである。
【課題を解決するための手段】
【０００７】  課題を解決するための手段は、本願、実用新案登録請求の範囲の各請求項に記載の考案であり、その具体的な解決手段は、以下の通りである。
第１の考案は、請求項１に記載の考案であり、
難燃加工及び／又は撥水加工された炎遮蔽性生地（Ｆ）を素材とし、少なくとも成人のほぼ全身を被包可能な形状と大きさとしたシート体（Ｓ）であり、該シート体（Ｓ）の一側（Ｓａ）に止着、解放自在の止着具（ＳＦ）を備え、前記止着具（ＳＦ）の内側（ＳＦａ）に前記シート体（Ｓ）を順次折り込み、前記止着具（ＳＦ）を介して止着したことを特徴としている。【０００８】  第２の考案は、請求項２に記載の考案であり、
前記炎遮蔽性生地（Ｆ）がポリエステル、ウール、アクリル又はアラミド繊維であり、該生地（Ｆ）の表裏面（Ｆａ、Ｆｂ）には消臭剤、抗菌剤又は／及び芳香剤が付与されていることを特徴としている。【０００９】  第３の考案は、請求項３に記載の考案であり、
前記止着具（ＳＦ）は、スライドファスナー、面状ファスナー、ホック又はボタンであることを特徴としている。【００１０】  第４の考案は、請求項４に記載の考案であり、
前記シート体（Ｓ）の内側（Ｓａ）の一部に貴重品収納用のポケット（Ｐ）を１〜複数形成していることを特徴としている。【００１１】  第５の考案は、請求項５に記載の考案であり、
前記ポケット（Ｐ）には手動空気弁（ＡＰｂ）によって膨張・収縮可能なエアーピロー（ＡＰ）が収納されていることを特徴としている。
【考案の効果】
【００１２】  本考案に係る、多用途クッション（Ｃ）は、上記のような特徴的構成要件から構成され、特徴的構成要件に応じた、以下のような本考案特有の効果を奏する。
また、上記の各考案に応じた、上記のような特徴的構成要件から構成された多用途クッション（Ｃ）によれば、本考案の課題を十分解消することができた。
○第１、第２の考案の効果
第１の考案によれば、「難燃加工及び／又は撥水加工された炎遮蔽性生地（Ｆ）を素材とし、少なくとも成人のほぼ全身を被包可能な形状と大きさとしたシート体（Ｓ）であり、該シート体（Ｓ）の一側（Ｓａ）に止着、解放自在の止着具（ＳＦ）を備え、前記止着具（ＳＦ）の内側（ＳＦａ）に前記シート体（Ｓ）を順次折り込み、前記止着具（ＳＦ）を介して止着した」という特徴的な構成要件により、
また、第２の考案によれば、「前記炎遮蔽性生地（Ｆ）がポリエステル、ウール、アクリル又はアラミド繊維であり、該生地（Ｆ）の表裏面（Ｆａ、Ｆｂ）には消臭剤、抗菌剤又は／及び芳香剤が付与されている」という特徴的な構成要件により、
本考案が解決しようとする第１課題、第２課題及び第４課題を達成することができ、当業者予測不可能な顕著な効果を奏することができた。すなわち、通常は室内や車内等でクッション、座布団又はひざ掛け等として身近で用いられ、例えば、地震警報が報知されたら、素早くクッションを両手で頭上に載せれば、天井等からの落下物を防ぐことができる。また火災が発生したときは、止着具（ＳＦ）を解放し、シート体（Ｓ）として全身を被包して火炎を防ぎ、安全な場所に避難することができる。さらに避難場所においては、保温性、柔軟性を備えたブランケット（毛布）として、老若男女を問わず寝具として使用することができる。また、負傷者がいるときは、救出用の担架とすることができる。また、炎遮蔽性生地（Ｆ）の表裏面（Ｆａ、Ｆｂ）には消臭剤、抗菌剤又は／及び芳香剤が付与されているので、倉庫等における長期の備蓄にもほぼ何らの問題も生じることがない。【００１３】○第３の考案の効果
第３の考案によれば、「前記止着具（ＳＦ）は、スライドファスナー、面状ファスナー、ホック又はボタンである」という特徴的な構成要件により、
本考案が解決しようとする第３課題を達成することができ、当業者予測不可能な顕著な効果を奏することができた。すなわち、多用途クッション（Ｃ）を拡開し、シート体（Ｓ）＝ブランケット（毛布）として使用するのには、止着具（ＳＦ）、例えば、スライドファスナーのスライダーをスライドファスナーの終端部まで摺動し、両手で順次拡開すれば、多用途クッション（Ｃ）は、簡単かつ迅速にブランケット（毛布）に変えられ、ひざ掛けとして使用したり、保温性、柔軟性を活かしたブランケット（毛布）本来の用途であるおくるみ（防寒具）や寝具として用いることができる。【００１４】○第４の考案の効果
第４の考案によれば、「前記シート体（Ｓ）の内側（Ｓａ）の一部に貴重品収納用のポケット（Ｐ）を１〜複数形成している」という特徴的な構成要件により、
緊急時における、身元確認、連絡先等がすぐに判明できる多用途クッション（Ｃ）を提供するという第５の課題を解決することができた。すなわち、シート体（Ｓ）の内側（Ｓａ）の一部に形成したポケット（Ｐ）に、貴重品、例えば、紙幣、保険証、預金通帳又は診察券等のコピー、電話番号、血液型、緊急連絡先等のメモ等をポケット（Ｐ）内に収納しておけば、震災による負傷等緊急事態においては、その身元等がすぐに判るので、好都合である。【００１５】○第５の考案の効果
第５の考案によれば、「前記ポケット（Ｐ）には手動空気弁（ＡＰｂ）によって膨張・収縮可能なエアーピロー（ＡＰ）が収納されている」という特徴的な構成要件により、
震災等による避難場所や仮設住居においては、多用途クッション（Ｃ）を拡開し、ポケット（Ｐ）に収納されているエアーピロー（ＡＰ）を取り出し、手動空気弁（ＡＰｂ）を指先等で押圧すれば、扁平状のエアーピロー（ＡＰ）はすぐに膨張するので、枕付きの寝具として安眠することができる。また、例えば、キャンプ等に携行し、エアーピロー付きの寝袋としても好適に使用することができる。
【図面の簡単な説明】
【００１６】
【図１】本考案に係る、多用途クッション（Ｃ）の実施形態を示す斜視図である。
【図２】同、止着具（ＳＦ）のスライダーを摺動してシート体（Ｓ）として展開した状態の表面平面図である。
【図３】同、図２におけるシート体（Ｓ）の裏面平面図で、（イ）、（ロ）及び（ハ）は、シート体（Ｓ）を多用途クッション（Ｃ）にするための折り込み順序を説明する平面図である。
【図４】（ニ）〜（ヘ）は、図３の（ロ）、（ハ）に連続する折り込み順序を説明する平面図である。
【図５】ポケット（Ｐ）に収納されるエアーピロー（ＡＰ）を示すもので、（イ）は空気送入前、（ロ）は空気送入後の斜視図である。
【図６】止着具（ＳＦ）の他の実施形態を示し、（イ）は面状ファスナーをシート体（Ｓ）取り付けた状態の表面平面図、（ロ）はボタンを取り付けた状態の表面平面図である。
【考案を実施するための形態】
【００１７】  以下、本考案に係る、多用途クッション（Ｃ）に関する実施形態について、図面を参照しながら説明する。
図１は、本考案の実施形態である多用途クッション（以下、クッション（Ｃ）という）を示している。クッション（Ｃ）の素材は、難燃加工及び／又は撥水加工された炎遮蔽性生地（Ｆ）からなっている。炎遮蔽性生地（Ｆ）は、具体的にはポリエステル、ウール、アクリル又はアラミド繊維であり、該生地（Ｆ）の表裏面（Ｆａ、Ｆｂ）には消臭剤、抗菌剤又は／及び芳香剤が付与されている。形状的には、図１に示すように、ほぼ四角形状となっており、一辺の長さＷ１は、約４０ｃｍ〜４５ｃｍ、厚さ寸法（ｈ）は、約４ｃｍ〜５ｃｍとなっており、総重量は約８００ｇである。（ＳＦ）は、止着具、例えば、基布、務歯及びスライダー（ＳＦｓ）からなるスライドファスナーで、務歯は、クッション（Ｃ）の三辺（Ｃａ）、（Ｃｂ）及び（Ｃｃ）に一体的に取り付けられている。（Ｃｄ）は折畳部で、（ＳＦｓ）はスライダーである。
【００１８】  クッション（Ｃ）は、図２に示すように、少なくとも成人のほぼ全身を被包可能な形状と大きさとしたシート体（Ｓ）、例えば、保温性や柔軟性を有する長方形状の一枚のブランケット（毛布）を基材としている。Ｌ１は、例えば、約１８０〜１８５ｃｍ、Ｌ２は、約１２５〜１３０ｃｍとすることができる。Ｗ２は、止着具（ＳＦ）の長さで、約８６〜８８ｃｍ、Ｗ３は、約４０〜４３ｃｍとすることができる。（Ｐ）は、貴重品収納用のポケットで、生地（Ｆ）の裏面（Ｆｂ）の内側（Ｓａ）の一部に設けられている（図２、図３（イ）他参照）。その大きさは、例えば、約２７〜３０ｃｍ×約１７〜２０ｃｍの矩形状が好ましい。ポケット（Ｐ）は、図３（イ）に示すように複数設けることもできる。ここにいう貴重品とは、紙幣、保険証、預金通帳又は診察券等のコピー、電話番号、血液型、緊急連絡先等のメモ等をいう。またポケット（Ｐ）には、貴重品のほか図５に示す、手動空気弁（ＡＰｂ）によって膨張・収縮可能な扁平状のエアーピロー（ＡＰ）を収納することができる。
【００１９】  図３（イ）は、シート体（Ｓ）の裏面平面図である。生地（Ｆ）の裏面（Ｆｂ）には止着具（ＳＦ）が取り付けられている。（ＳＦｕ）は、ライドファスナーにおける基布の上部縫着線、（ＳＦｄ）は、基布の下部縫着線である。以下、図３（イ）〜図４（ヘ）を参照にして、シート体（Ｓ）を多用途クッション（Ｃ）にするための折り込み順序を説明する。先ず上部縫着線、（ＳＦｄ）の長手方向延長線（ロ）に沿って内側に谷折りすれば、図３（ロ）の状態になり、次に下部縫着線（ＳＦｄ）沿って内側に谷折りすれば、図３（ハ）の状態になり、続いて図示する折り線（ニ）→（ホ）→（ヘ）と順次折り込まれる。
【００２０】  図３（ハ）における（ニ）の折り線に沿って内側に谷折りすれば、図４（ニ）の状態になり、さらに図３（ハ）の（ホ）の折り線に沿って内側に谷折りすれば、図４（ホ）の状態になる。最後に図３（ハ）の（ヘ）の折り線に沿って内側に谷折りすれば、図４（ヘ）の状態となり、シート体（Ｓ）の折り込み作業は終了する。次にスライドファスナーにおける上下の務歯を接合して、図４（ヘ）に示すスライダー（ＳＦｓ）をＢ方向に摺動し、図１のＢ点までスライダー（ＳＦｓ）を移動すれば、図１のクッション（Ｃ）が形成される。クッション（Ｃ）をシート体（Ｓ）にするときは、上記の手順を逆、即ち図１におけるスライダー（ＳＦｓ）をＡ方向に摺動し、（Ｃａ）→（Ｃｂ）→（Ｃｃ）と順次開放していき、図３（イ）の状態に展開することができる。
【００２１】  図５は、ポケット（Ｐ）に収納されるエアーピロー（ＡＰ）を示し、通常は図５（イ）に示すように扁平状態となっている。エアーピロー（ＡＰ）の表地は、例えばナイロン、裏地はポリウレタン等からなり、内部は気密保持体となっている。エアーピロー（ＡＰ）の一側には手動空気弁（ＡＰｂ）を備えており、使用に際しては、押圧部（ＡＰｐ）を指先等で、例えば約２、３分間押圧すれば、空気は空気弁（ＡＰｂ）を介してエアーピロー（ＡＰ）内に送入され、図５（ロ）の状態に膨張させることができるので、簡易枕等として使用可能となる。不使用時は、空気弁（ＡＰｂ）を指先等で継続して押圧すれば、エアーピロー（ＡＰ）内の空気は外方に排出され、図５（イ）の状態になるので、ポケット（Ｐ）に再収納することができる。エアーピロー（ＡＰ）の長さ寸法Ｍ１は、約２３〜２５ｃｍ、巾寸法Ｍ２は約１４〜１５ｃｍとすることができる。
【００２２】  図６は、止着具（ＳＦ）の他の実施形態を示し、（イ）に示すように、スライドファスナーに替えて、雌雄一対からなる面状ファスナー（Ｆ）とすることができる。又は（ロ）に示すボタン（ＢＴ）とボタンホール（ＢＴｈ）とすることができる。また図示しないが、ホック止めとすることができる。
【００２３】  図１に示す本考案に係る、クッション（Ｃ）は、通常の生活においては、室内や車内等で背当てクッション、座布団又はひざ掛け等として身近で用いられ、あるいはキャンプ等アウトドアに携行する必需用品として使用することができる。また、例えば、地震警報が報知されたら、素早くクッションを両手で頭上に載せて急いで避難し、天井等からの落下物を防ぐ防災具として機能し、また火災が発生したときは、クッション（Ｃ）の止着具（ＳＦ）におけるスライダー（ＳＦｓ）を迅速に摺動させてシート体（Ｓ）とし、頭部と全身を被包して火炎を防ぎ、安全な場所に避難することができる。さらに避難場所においては、保温性、柔軟性を備えた枕（エアーピロー（ＡＰ））付きブランケット（毛布）として、老若男女を問わず寝具として使用することができる。また、負傷者がいるときは、救出用の担架とすることができる。またこのような緊急時においては、ポケット（Ｐ）に収納された紙幣、保険証、預金通帳又は診察券等のコピー、電話番号、血液型、緊急連絡先等のメモ等が有効に活用される。さらに、炎遮蔽性生地（Ｆ）の表裏面（Ｆａ、Ｆｂ）には消臭剤、抗菌剤又は／及び芳香剤が付与されているので、何らの問題もなく直ちに使用することができる。また軽量、かつコンパクトな形状とされているので、例えば、３０個のクッション（Ｃ）を１パックとしてビニール袋内に真空梱包すれば、約２５Ｋｇの重量で、その容積も約１／２とすることができ、倉庫、収納庫等への大量備蓄、救援物資としての大量搬送にも優れている。さらに将来的に発生するであろう震災対策の必須備品の一つとして、長期の備蓄にも耐えることが可能な社会的にも有意義な考案である。
【符号の説明】
【００２４】  Ｃ……多用途クッション  Ｓ……シート体  Ｆ……炎遮蔽性生地  Ｓａ……一側  ＳＦ……止着具  ＳＦａ……内側  Ｆａ、Ｆｂ……表裏面  Ｐ……ポケット  ＡＰ……エアーピロー  ＡＰｂ……手動空気弁
【図１】
0003190311.tif 000003
【図２】
0003190311.tif 000004
【図３】
0003190311.tif 000005
【図４】
0003190311.tif 000006
【図５】
0003190311.tif 000007
【図６】
0003190311.tif 000008